(57)【特許請求の範囲】
【請求項１】
骨伝導によって聴覚神経に音響信号を伝えることができる機械的骨励起トランスデューサ（２０，２２）を備える２つの側面アコースティックモジュール（４，６）と、
前記２つの側面アコースティックモジュール（４，６）を接続するための少なくとも１つの湾曲部材（８，１０）と、を備えるアコースティックヘッドセット（２）であって、前記２つの側面アコースティックモジュール（４，６）のそれぞれは、
頭蓋骨の両側に対する側面支持のための支持プレート（１６，１８）と、
前記支持プレート（１６，１８）および前記機械的骨励起トランスデューサ（２０，２２）間の関節（２４，２６）と、
前記関節（２４，２６）の軸についての回転に関して、前記支持プレート（１６，１８）に関連する前記機械的骨励起トランスデューサ（２０，２２）の動きをリセット位置に向ける戻り動作のためのバネ（２８）と、を備え、
前記機械的骨励起トランスデューサ（２０，２２）は、前記関節（２４，２６）の軸について角度的にずらされた軸についての回転に関して、少なくとも１つの追加の自由度を有し、
前記関節（２４，２６）は、前記機械的骨励起トランスデューサ（２０，２２）を前記支持プレート（１６，１８）に接続する前記関節（２４，２６）のためのシャフト（８０）を備え、
前記関節（２４，２６）のための前記シャフト（８０）について回転することができる、前記支持プレート（１６，１８）と前記機械的骨励起トランスデューサ（２０，２２）の間の構成部分は、前記シャフト（８０）の直径よりも大きい直径を有する穴（８６）を備え、これにより、前記トランスデューサ（２０，２２）は、角度的にずらされた軸についての回転に関する少なくとも１つの追加の自由度を有することを特徴とするアコースティックヘッドセット。
【請求項２】
請求項１に記載のアコースティックヘッドセット（２）において、
前記関節（２４，２６）の軸について、該関節の回転最大角度は、最小限６０度であることを特徴とするアコースティックヘッドセット。
【請求項３】
請求項１または２に記載のアコースティックヘッドセット（２）において、
一方のモジュール（４，６）に設けられた前記バネ（２８）によって適用される、前記支持プレート（１６，１８）に関連する前記機械的骨励起トランスデューサ（２０，２２）の動きを前記リセット位置に向ける前記戻り動作は、前記一方のモジュール（４，６）から他方のモジュール（４，６）に向けられることを特徴とするアコースティックヘッドセット。
【請求項４】
請求項１〜３のいずれか１項に記載のアコースティックヘッドセット（２）において、該アコースティックヘッドセットは、
前記２つの側面アコースティックモジュール（４，６）を接続すると共に、頭の上部に対する接合で移動できるようにするための上部湾曲部材（８）と、
前記２つの側面アコースティックモジュール（４，６）を接続すると共に、前記頭の後部に対する接合で移動できるようにするための後方湾曲部材（１０）と、を備えることを特徴とするアコースティックヘッドセット。
【請求項５】
請求項１〜４のいずれか１項に記載のアコースティックヘッドセット（２）において、
前記各湾曲部材（８，１０）は、調節可能な長さを有していることを特徴とするアコースティックヘッドセット。
【請求項６】
請求項１〜５のいずれか１項に記載のアコースティックヘッドセット（２）において、該アコースティックヘッドセットは、
前記２つの側面アコースティックモジュール（４，６）に接続され、特に、該２つの側面アコースティックモジュール（４，６）の前記機械的骨励起トランスデューサ（２０，２２）に接続された電気音響マイク（１２）を備えることを特徴とするアコースティックヘッドセット。
【請求項７】
請求項１〜６のいずれか１項に記載のアコースティックヘッドセット（２）において、
該アコースティックヘッドセットの容積によって、歩兵のための強固なヘルメット、または、核・細菌・化学用マスクを伴って使用されることを特徴とするアコースティックヘッドセット。
【請求項８】
請求項１〜７のいずれか１項に記載のアコースティックヘッドセット（２）および強固なヘルメットを備える歩兵用ヘッドギア部品。
【発明の詳細な説明】
【技術分野】
【０００１】
本発明は、骨伝導によって聴覚神経に音響信号を伝えることができる機械的骨励起トランスデューサを備える２つの側面アコースティックモジュールと、該アコースティックモジュールを接続する少なくとも１つの湾曲部材と、を備えるアコースティックヘッドセットに関する。
【背景技術】
【０００２】
さらに、本発明は、この形式のアコースティックヘッドセットおよび強固なヘルメットを備える歩兵用ヘッドギア部品に関する。
【０００３】
従来のアコースティックヘッドセットは、２つの側面アコースティックモジュール、および、それら２つのアコースティックモジュールを接続する湾曲部材を備える。各アコースティックモジュールは、電気信号を、音響信号を表す振動波に変換し、骨伝導によって聴覚神経に音響信号を伝えることができる機械的骨励起トランスデューサを備える。
【０００４】
骨伝導によって音響信号を最適に伝達するために、トランスデューサは、大部分がユーザの頭蓋骨の両側面、特に、頭蓋骨の側頭骨に接触する内部表面を有していなければならない。
【０００５】
ユーザがヘッドセットを自分の頭に装着するとき、ユーザは、湾曲部材の位置決めによって、アコースティックモジュールの接触を開始し、その後、各モジュールの位置調節を行う。
【発明の概要】
【発明が解決しようとする課題】
【０００６】
しかしながら、人体の頭蓋骨の形状、および、トランスデューサがモジュール内の位置に固定されることを考慮すると、トランスデューサの内部表面の小さい部分だけが側頭骨にたびたび接触し、そのヘッドセットの聴覚の部分を傷つけることになる。
【０００７】
人体は各自ごとに特有の形状なので、アコースティックモジュールの人間工学的な形状は、この問題を解決することができない。
【０００８】
従って、本発明の目的は、優れた音響品質を達成すると共に、ヘッドセットの装着を快適なものとするために、トランスデューサと頭蓋骨の側頭骨間の大きな接触表面領域の提供を可能とすることにある。
【課題を解決するための手段】
【０００９】
本発明によれば、骨伝導によって聴覚神経に音響信号を伝えることができる機械的骨励起トランスデューサを備える２つの側面アコースティックモジュールと、前記２つの側面アコースティックモジュールを接続するための少なくとも１つの湾曲部材と、を備えるアコースティックヘッドセットであって、前記２つの側面アコースティックモジュールのそれぞれは、頭蓋骨の両側に対する側面支持のための支持プレートと、前記支持プレートおよび前記機械的骨励起トランスデューサ間の関節と、前記関節の軸についての回転に関して、前記支持プレートに関連する前記機械的骨励起トランスデューサの動きをリセット位置に向ける戻り動作のためのバネと、を備え、前記機械的骨励起トランスデューサは、前記関節の軸について角度的にずらされた軸についての回転に関して、少なくとも１つの追加の自由度を有し、前記関節は、前記機械的骨励起トランスデューサを前記支持プレートに接続する前記関節のためのシャフトを備え、前記関節のための前記シャフトについて回転することができる、前記支持プレートと前記機械的骨励起トランスデューサの間の構成部分は、前記シャフトの直径よりも大きい直径を有する穴を備え、これにより、前記トランスデューサは、角度的にずらされた軸についての回転に関する少なくとも１つの追加の自由度を有することを特徴とするアコースティックヘッドセットが提供される。
従って、本発明は、上述したようなアコースティックヘッドセットに関するものであり、各アコースティックモジュールは、頭蓋骨の両側に対する側面支持のためのプレートと、前記支持プレートおよび前記トランスデューサ間の関節と、前記関節の軸についての回転に関して、前記プレートに関連する前記トランスデューサの動きをリセット位置に向けるバネと、を備えることを特徴とする。
【００１０】
他の実施例によれば、前記アコースティックヘッドセットは、分離して或いは技術的に可能な組み合わせに従って、以下の構成の１つまたはそれ以上を有する。その構成は、
前記関節の軸について、該関節の回転最大角度は、最小限６０度である、
モジュールの各バネによって適用される前記戻り動作は、当該モジュールから他方のモジュールに向けられる、
前記トランスデューサは、前記関節の軸について角度的にずらされた軸についての回転に関して、少なくとも１つの追加の自由度を有する、
前記関節は、前記トランスデューサを前記プレートに接続する前記関節のためのシャフトを備え、前記関節のための前記シャフトについて回転することができる、前記プレートと前記トランスデューサの間の構成部分は、前記シャフトの直径よりも大きい直径を有する穴を備える、
前記アコースティックヘッドセットは、前記アコースティックモジュールを接続すると共に、頭の上部に対する接合で移動できるようにするための上部湾曲部材と、前記アコースティックモジュールを接続すると共に、前記頭の後部に対する接合で移動できるようにするための後方湾曲部材と、を備える、
前記各湾曲部材は、調節可能な長さを有している、
前記アコースティックヘッドセットは、前記アコースティックモジュールに接続され、特に、該アコースティックモジュールの前記トランスデューサに接続された電気音響マイクを備える、並びに、
前記アコースティックヘッドセットの容積によって、歩兵のための強固なヘルメット、または、核・細菌・化学用マスクを伴って使用される。
【００１１】
さらに、本発明は、この形式のアコースティックヘッドセットおよび強固なヘルメットを備える歩兵用ヘッドギア部品に関する。
【図面の簡単な説明】
【００１２】
【図１】本発明に係るアコースティックヘッドセットの全体的な斜視図である。
【図２】本発明に係るアコースティックヘッドセットの拡大斜視図である。
【図３】本発明に係る右耳用のアコースティックヘッドセットの拡大斜視図である。
【図４】本発明に係る復帰バネの斜視図である。
【発明を実施するための形態】
【００１３】
本発明およびその利点は、添付の図面を参照して、単に例として与える以下の記述を読むことにより一層理解されるであろう。
【００１４】
図１において、アコースティックヘッドセット２は、２つの側面アコースティックモジュール４，６、上部湾曲部材８、および、アコースティックモジュール４，６を接続するための後方湾曲部材１０を備える。さらに、ヘッドセット２は、アコースティックモジュール４およびヘッドセットケーブル１４に接続されたマイク１２を備える。
【００１５】
各アコースティックモジュール４，６は、頭蓋骨の両側に対する側面支持（アバットメント）のためのプレート１６，１８、および、機械的骨励起トランスデューサ２０，２２を備える。関節２４，２６は、支持プレート１６，１８とトランスデューサ２０，２２の間に設けられる。図３および図４から明らかなように、バネ２８は、各関節接合に設けられ、関節２４，２６の軸についての回転に関して、プレート１６，１８に関連するトランスデューサ２０，２２の動きをリセット位置に向ける復帰動作を確実にすることができる。
【００１６】
図１および図２の各プレート１６，１８は、耳の上方の頭蓋骨に対して支持するように移動することができる支持プレート３０，３１を備える。耳のための貫通開口は、各プレート３０，３１の下方部に設けられている。各プレート１６，１８は、プレート３０，３１の後方部において、第１ハーフシェル３４，３６、並びに、皿を有するネジ４２のような固定部材４２を介して該第１ハーフシェル３４，３６に固定される第２ハーフシェル３８，４０を有するハウジング３２，３３を備える。
【００１７】
第１ハーフシェル３４，３６および第２ハーフシェル３８，４０は、全体として、閉断面を有すると共に、特に、ヘッドセットのケーブル１４を受け取ることができる、不等辺四辺形のケーソンのような構造を規定する。
【００１８】
支持プレート３０，３１は、上部湾曲部材８の端部を受け取る横長の開口４４，４６を備える。後方湾曲部材１０は、支持プレート３０，３１に設けられ、該支持プレート３０，３１の主たる方向に延びた形状を有するガイド溝４８，４９を備える。
【００１９】
横長の開口４４，４６は、特に、支持プレート３０，３１の上部端の近くにあり、開口４４，４６と上部端の間の残った部分は、ロッド５０，５１を構成する。
【００２０】
各ガイド溝４８，４９は、一端がそのガイド溝の窪みにあって、ガイド溝の長さを超えるラック５４，５６を備え、該ラック５４，５６は、そのラック５４，５６の長手部分が鋸歯形状で、他端が後方湾曲部材１０のロッド６２用の貫通穴５８，６０となるように空隙が設けられた起伏を備える。
【００２１】
ハウジング３２，３３の主たる支持プレート３０，３１およびハーフシェル３４，３６，３８，４０は、例えば、プラスチック材料で射出成形により形成される。
【００２２】
各機械的骨励起トランスデューサ２０，２２は、電機信号を、音響信号を表す振動波形に変換し、骨伝導によって聴覚神経に音響信号を伝えることができる。トランスデューサ２０，２２は、受け取った電機信号から振動波形を伝送することのできる素子（図示しない）、並びに、図示されていない伝送素子を保護する２つのハーフシェル６４，６６，６８，７０を備える。
【００２３】
ハーフシェル６４および６６、並びに、６８および７０は、皿を有するネジ７１のような固定部材７１を介して接続される。これらのハーフシェル６４，６６，６８，７０は、例えば、プラスチック材料で射出成形により形成される。
【００２４】
ヘッドセット２の外側に位置するハーフシェル６４および６８は、それぞれプレート１６，１８に接続するためのインテグラルラグ７２，７４を備える。ラグ７２，７４は、ヘッドセットの内側に向かって開くＵ字状の断面を有し、ウェブ７６，および，該ウェブ７６からヘッドセットの内側に向かって延びて互いに垂直な少なくとも２つのフランジ７８を備える。各ラグ７２，７４は、例えば、３つのフランジ７８を有する。
【００２５】
図２および図３において、関節２４，２６は、トランスデューサ２０，２２を支持プレート１６，１８に接続する関節軸８０を備える。プレート１６，１８は、カバー８２，８３を有し、そこでラグ７２，７４が受け取られ、関節軸８０のための貫通穴８４がカバー８２，８３に設けられる。トランスデューサ２０，２２のラグ７２，７４におけるフランジ７８は、軸８０のための貫通穴８６を有する。
【００２６】
トランスデューサ２０，２２は、２つの先端位置の間で、プレート１６，１８に関して回転移動することができる。リセット位置として参照されるトランスデューサ２０，２２の第１の位置は、ヘッドセット２の内側に向かうプレート１６，１８に垂直な位置に対応する。トランスデューサ２０，２２の第２の位置は、プレート１６，１８が実質的に続く位置に対応する。
【００２７】
関節２４，２６の回転の最大角度は、その関節の軸に対して最小限６０度、好ましくは９０度である。
【００２８】
トランスデューサ２０，２２は、関節軸８０に対して回転することができる。貫通穴８６は、軸８０の直径よりも大きい直径を有し、これにより、トランスデューサ２０，２２は、関節２４，２６の軸について、例えば、５度だけ角度的にずらされた軸についての回転に関する少なくとも１つの追加の自由度を有する。
【００２９】
図４の復帰バネ２８は、中央のヘリカル巻線部８８、および、バネがリセット位置にあるときには互いに直角となる２つの方向に向かう９０，９２を備える。
【００３０】
バネ２８の端部９０は、トランスデューサ２０，２２に固定され、また、支持プレート１６，１８に固定された端部９２は、一方のモジュール４，６から他方のモジュール４，６に向けられる。ここで、関節軸８０は巻線８８の内部に延び、これにより、バネ２８がリセット位置にないとき、バネ２８によって復帰動作が与えられる。
【００３１】
バネ２８は、例えば、変形された金属ロッドにより構成される。
【００３２】
ヘッドバンド８として参照される上部湾曲部材８は、長さ調節可能であり、頭の上部に位置決めされ得るようになっている。
【００３３】
上部湾曲部材８は、薄く、柔軟な金属により構成される。上部湾曲部材８の厚さは、例えば、２ｍｍ以下である。
【００３４】
上部湾曲部材８は、例えば、端部９３，９４が畳み込まれて、フックおよびループを有する相補接続ストリップ９５のような固定手段９５を介して、その本体に固定されるバンド８である。
【００３５】
アコースティックモジュール４の内側において、端部９３は、横長の開口４４内に引き込まれ、さらに、手段９５を介してバンド８の本体に固定されるようにするために、モジュール４の外側に延びる。そして、バンド８は、ロッド５０の周りの保持ループを形成し、これにより、上部湾曲部材８は、モジュール４に接続される。
【００３６】
バンド８の他方の端部９４は、手段９５を介してバンド８の本体に固定して、ロッド５０の周りの保持ループを形成するために、アコースティックモジュール６の穴４６を通って延びる。これにより、上部湾曲部材８は、モジュール４に接続される。
【００３７】
後方湾曲部材１０は、強固な材料で形成され、２つのモジュール４，６を機械的に保持するために湾曲した部材となっている。
【００３８】
後方湾曲部材１０は、例えば、引き伸ばして曲げられて端部がロッド６２で構成されたメインボディ９６を備える。快適さを与えるムース９８は、メインボディ９６を覆っている。後方湾曲部材１０は、ガイド溝４８，４９、並びに、ロッド６２および該ロッド６２の端部１０４を保護するためのカバー１００を備え、そのカバーは、溝４８，４９を覆う。
【００３９】
メインボディ９６およびロッド６２は、例えば、１ｃｍよりも少ない幅で２ｍｍよりも薄い厚さを有する金属板である。
【００４０】
後方湾曲部材１０は、ガイド溝４８，４９内を摺動するロッド６２によって長さ調節可能とされている。首筋バンド１０としても参照される後方湾曲部材１０は、頭の後ろの耳骨の下である首筋の近くに位置されてもよい。
【００４１】
ロッド６２の各端部１０４は、Ｖ字形状に湾曲されて穴５８，６０に引き込まれ、ラック５４，５６の起伏にかみ合わされる前に、ガイド溝４８，４９内で摺動される。ロッド６２の側面の固定は、穴５８，６０のエッジによって行われ、また、ロッド６２の長さの固定は、ラック５４，５６の起伏におけるＶ字形状の端部１０４のかみ合わせによって行われる。
【００４２】
電気音響マイク１２は、アコースティック音響波を感知すると共に中空部に接続されたアナログセンサ１０６、中央に位置する電気ケーブルを受け取ると共に異なる方向に曲げられる変形可能なロッド１０８、並びに、ロッド１０８をアコースティックモジュール４に固定するための中空のひじ部１１０を備える。
【００４３】
このようにして、ヘッドセット２のユーザは、固定手段９４を使用してヘッドバンド８の長さをおおよそ調節し、それから、ガイド溝４８，４９内のロッド６２を一方または他方へ摺動することによって首筋バンド１０の長さを調節する。
【００４４】
その後、ユーザは、関節２４，２６に対して回転する手段によって、トランスデューサ２０，２２を、プレート１６，１８から離れるようにして、リセット位置から移動させ、そして、もし、ロッド１０８がヘッドセット２の内側に向けて保持されているときは、マイク１２のセンサ１０６を移動させる。
【００４５】
ユーザは、彼の頭蓋骨の上部にバンド８を乗せ、頭蓋骨の両側に対する側面の接合のために後方湾曲部材１０を彼の首筋近くの頭の後ろに、プレート１６を右耳の上に、そして、プレート１８を左耳の上に位置決めすることによって、ヘッドセット２を彼の頭に配置する。支持プレート３０，３１の下部に設けられた開口は、外部の耳の上部に関連する人間工学的に優れたプレート１６，１８をもたらす。
【００４６】
ユーザの頭にヘッドセット２を配置した後、ユーザは、固定手段９５を使用して湾曲部材８の長さを調節することで、彼の頭の上の上部湾曲部材８を調節し、それから、ガイド溝４８，４９内のロッド６２を摺動することによって湾曲部材１０の長さを調節することで、彼の首筋上の後方湾曲部材１０を調節する。
【００４７】
一度、湾曲部材８，１０が調節されると、関節２４，２６およびバネ２８は、トランスデューサ２０，２２を、頭蓋骨の左右の側頭骨への接触を維持することを可能にする。こめかみ上の機械的骨励起トランスデューサ２０，２２の位置調節は、関節２４，２６の軸から角度的にずらされた軸についての回転に関する追加の自由度によって、自然で自動的に行われる。
【００４８】
このようにして行われるトランスデューサ２０，２２の調節は、良好なレベルの聴取が得られ、また、快適に装着されるヘッドセット２を与える。
【００４９】
最後に、ユーザは、屈曲ロッド１０８によって、彼の口に関するマイク１２のセンサ１０６の位置を調節する。
【００５０】
外した後、トランスデューサ２０，２２は、バネの働きによって、内側に向かってヘッドセットの面内に自動的に移動されるので、ヘッドセット２は容易に片づけることができる。
【００５１】
上部湾曲部材８は、その薄い厚さ並びにその柔軟な金属により、頭上の不快感を伴うことなく強固なヘルメットの装着を可能にする。後方湾曲部材１０も、頭の後ろの耳骨の下に配置されるので、歩兵のための強固なヘルメットの装着を可能にする。
【００５２】
上部湾曲部材８が頭頂位置における配置を固定するように働くので、２つのモジュール４，６の機械的な固定は、後方湾曲部材１０によってもたらされる。
【００５３】
他の実施例によれば、支持プレート１６，１８は、関節軸８０について回転可能であり、また、貫通穴８４は、軸８０の直径よりも大きい直径を有している。
【００５４】
他の実施例によれば、ヘッドセット２は、モーターサイクリスト用ヘルメット、モータービークル用クラッシュヘルメット、装甲車用ヘッドセット、消防士用ヘルメット、セキュリティサービスのエージェント用ヘルメット、建築現場用ヘルメット、或いは、航空機パイロット用ヘルメットに使用することができる。
【００５５】
他の実施例によれば、ヘッドセット２は、電話交換オペレータのためのヘッドセットである。
【図１】
0005508270.tif 000002
【図２】
0005508270.tif 000003
【図３】
0005508270.tif 000004
【図４】
0005508270.tif 000005